(57)【特許請求の範囲】
【請求項１】
ハンドセットおよびベースを有するアナログ・コードレス電話機であって、
少なくとも１つの前記ハンドセットおよび前記ベースにおいて、
受信経路および送信経路の間で共有される位相ロック・ループおよび電圧制御発振器（ＶＣＯ）と、
クロック信号に応答して、受信した音声信号をゲート・オンおよびオフする第１アナログ・ゲートと、
前記クロック信号を反転したものに応答して、送信音声信号をゲート・オンおよびオフする第２アナログ・ゲートと
を有し、前記受信した音声信号がゲート・オフされる場合に前記送信音声信号がイネーブルされ、更に、前記ＶＣＯにより、イネーブルされた送信音声信号を変調し、変調されたＲＦ信号を出力し、
前記ハンドセットのクロック信号の周波数が、前記ベースのクロック信号の周波数と異なる、アナログ・コードレス電話機。
【請求項２】
請求項１記載のアナログ・コードレス電話機において、更に、前記クロック信号を出力するサンプリング・クロック生成器を有する、アナログ・コードレス電話機。
【請求項３】
請求項１記載のアナログ・コードレス電話機において、更に、前記クロック信号を入力し、前記クロック信号を反転したものを出力するインバータを有する、アナログ・コードレス電話機。
【請求項４】
請求項１記載のアナログ・コードレス電話機において、更に、
前記受信した音声信号を入力し、該音声信号に関連する中間周波数（ＩＦ）信号を出力するミキサと、
前記ＩＦ信号を濾波する少なくとも１つの中間周波数フィルタと、
前記ＩＦ信号に関連する少なくとも１つの中間周波数フィルタを経由した時間遅延を補償するように、前記第１アナログ・ゲートに提供される前記クロック信号のデューティ・サイクルを変更する時間補償回路と
を有するアナログ・コードレス電話機。
【請求項５】
請求項１記載のアナログ・コードレス電話機において、更に、前記第１アナログ・ゲートに提供されるクロック信号のデューティ・サイクルを変更することで、前記受信した音声信号がゲート・オンされる場合に前記送信音声信号がゲート・オフされることを保証し、かつ前記受信した音声信号がゲート・オフされる場合に前記送信音声信号がゲート・オンされることを保証する信号イネーブル分離回路を有するアナログ・コードレス電話機。
【請求項６】
ハンドセットおよびベースを有するアナログ・コードレス電話機であって、
前記ハンドセットおよび前記ベースの少なくとも１つにおいて、
受信経路および送信経路の間で共有される位相ロック・ループおよび電圧制御発振器（ＶＣＯ）と、
受信した音声信号をゲート・オンおよびオフする第１アナログ・ゲートと、
送信音声信号をゲート・オンおよびオフする第２アナログ・ゲートと、
クロック信号を出力するサンプリング・クロック生成器と、
前記クロック信号を反転し、反転したクロック信号を出力するインバータと
を有し、前記第１アナログ・ゲートは前記クロック信号により制御され、前記第２アナログ・ゲートは前記反転したクロック信号により制御され、前記送信音声信号は前記受信した音声信号がゲート・オフされる場合にイネーブルされ、前記ＶＣＯにより、イネーブルされた送信音声信号を変調し、変調されたＲＦ信号を出力し、
前記ハンドセット用のクロック信号の周波数が、前記ベース用のクロック信号の周波数と異なる、アナログ・コードレス電話機。
【請求項７】
請求項６記載のアナログ・コードレス電話機において、更に、
前記受信した音声信号を入力し、該音声信号に関連する中間周波数（ＩＦ）信号を出力するミキサと、
前記ＩＦ信号を濾波する少なくとも１つの中間周波数フィルタと、
前記ＩＦ信号に関連する少なくとも１つの中間周波数フィルタを介する時間遅延を補償するように、前記第１アナログ・ゲートに提供されるクロック信号のデューティ・サイクルを変更する一体形成されたＲＣネットワークおよびシュミット・トリガと
を有するアナログ・コードレス電話機。
【請求項８】
請求項６記載のアナログ・コードレス電話機において、更に、第１アナログ・ゲートに提供されるクロック信号のデューティ・サイクルを変更することで、前記受信した音声信号がゲート・オンされる場合に前記送信音声信号がゲート・オフされることを保証し、かつ前記受信した音声信号がゲート・オフされる場合に前記送信音声信号がゲート・オンされることを保証する一体形成されたＲＣネットワークおよびシュミット・トリガを有するアナログ・コードレス電話機。
【請求項９】
ハンドセットおよびベースを有するアナログ・コードレス電話機であって、
少なくとも１つの前記ハンドセットおよび前記ベースにおいて、
受信経路および送信経路の間で共有される位相ロック・ループおよび電圧制御発振器（ＶＣＯ）と、
クロック信号に応答して、受信した音声信号をゲート・オンおよびオフする第１アナログ・ゲートと、
前記クロック信号を反転したものに応答して、送信音声信号をゲート・オンおよびオフする第２アナログ・ゲートと、
前記受信した音声信号を入力し、該音声信号に関連する中間周波数（ＩＦ）信号を出力するミキサと、
前記ＩＦ信号を濾波する少なくとも１つの中間周波数フィルタと、
前記ＩＦ信号に関連する少なくとも１つの中間周波数フィルタを経由した時間遅延を補償するように、前記第１アナログ・ゲートに提供される前記クロック信号のデューティ・サイクルを変更する時間補償回路と
を有し、前記受信した音声信号がゲート・オフされる場合に前記送信音声信号がイネーブルされ、前記ＶＣＯにより、イネーブルされた送信音声信号を変調し、変調されたＲＦ信号を出力する、アナログ・コードレス電話機。
【請求項１０】
請求項９記載のアナログ・コードレス電話機において、更に、前記クロック信号を出力するサンプリング・クロック生成器を有する、アナログ・コードレス電話機。
【請求項１１】
請求項９記載のアナログ・コードレス電話機において、更に、前記クロック信号を入力し、前記クロック信号を反転したものを出力するインバータを有する、アナログ・コードレス電話機。
【請求項１２】
請求項９記載のアナログ・コードレス電話機において、前記ハンドセットのクロック信号の周波数が、前記ベースのクロック信号の周波数と異なる、アナログ・コードレス電話機。
【請求項１３】
ハンドセットおよびベースを有するアナログ・コードレス電話機であって、
少なくとも１つの前記ハンドセットおよび前記ベースにおいて、
受信経路および送信経路の間で共有される位相ロック・ループおよび電圧制御発振器（ＶＣＯ）と、
クロック信号に応答して、受信した音声信号をゲート・オンおよびオフする第１アナログ・ゲートと、
前記クロック信号を反転したものに応答して、送信音声信号をゲート・オンおよびオフする第２アナログ・ゲートと、
前記第１アナログ・ゲートに提供されるクロック信号のデューティ・サイクルを変更することで、前記受信した音声信号がゲート・オンされる場合に前記送信音声信号がゲート・オフされることを保証し、かつ前記受信した音声信号がゲート・オフされる場合に前記送信音声信号がゲート・オンされることを保証する信号イネーブル分離回路と
を有し、前記受信した音声信号がゲート・オフされる場合に前記送信音声信号がイネーブルされ、前記ＶＣＯにより、イネーブルされた送信音声信号を変調し、変調されたＲＦ信号を出力する、アナログ・コードレス電話機。
【請求項１４】
請求項１３記載のアナログ・コードレス電話機において、更に、前記クロック信号を出力するサンプリング・クロック生成器を有する、アナログ・コードレス電話機。
【請求項１５】
請求項１３記載のアナログ・コードレス電話機において、更に、前記クロック信号を入力し、前記クロック信号を反転したものを出力するインバータを有する、アナログ・コードレス電話機。
【請求項１６】
請求項１３記載のアナログ・コードレス電話機において、前記ハンドセットのクロック信号の周波数が、前記ベースのクロック信号の周波数と異なる、アナログ・コードレス電話機。
【発明の詳細な説明】
【０００１】
［発明の背景］
［１．発明の技術分野］
本発明は、一般にコードレス電話機に関し、特に、ハンドセット装置の送信機および受信機双方のためのシングル位相ロック・ループ（ＰＬＬ）および関連する電圧制御発振器（ＶＣＯ）並びにベース（ｂａｓｅ）ユニットに関するシングルＰＬＬおよび関連するＶＣＯを有するコードレス電話機に関する。
【０００２】
［２．関連技術の説明］
ハンドセット用のシングルＰＬＬおよびＶＣＯ並びにベース・ユニット用の他のシングルＰＬＬおよびＶＣＯを有する従来の９００ＭＨｚまたは２．４ＧＨｚアナログ・コードレス電話機は、位相シフタおよびキャンセル回路を必要とするであろう。しかしながら、キャンセル回路を実現することは、非常に困難であろうし、相当コスト高の手段になってしまうであろう。
【０００３】
したがって、ハンドセット用のシングルＰＬＬおよびＶＣＯ、並びにベース・ユニット用の他のシングルＰＬＬおよび関連するＶＣＯを有するが、キャンセル回路を有しないアナログ・コードレス電話機が必要とされている。
【０００４】
［発明の概要］
上記課題に加えて従来技術における他の関連する課題は、本発明によるアナログ・コードレス電話機により解決される。本コードレス電話機は、ハンドセット装置の送信機および受信機双方のためのシングル位相ロック・ループ（ＰＬＬ）および電圧制御発振器（ＶＣＯ）、並びにベース・ユニット用のシングルＰＬＬおよび関連するＶＣＯを有する。しかしながら、コードレス電話機は何らのキャンセル回路も含まず、それはハンドセット装置用のＰＬＬおよび関連するＶＣＯ並びにベース・ユニット用のシングルＰＬＬおよび関連するＶＣＯを有する従来のコードレス電話機では必要とされていたものである。
【０００５】
本発明の一形態によれば、ハンドセットおよびベースを有するアナログ・コードレス電話機が提供される。本電話機のハンドセットおよび／またはベースは、次の素子を有する。受信経路および送信経路の間で共有されるよう形成される、位相ロック・ループ（ＰＬＬ）および電圧制御発振器（ＶＣＯ）。第１アナログ・ゲートは、クロック信号に応答して受信音声信号をゲート・オンおよびオフするよう形成される。第２アナログ・ゲートは、反転した形式のクロック信号に応答して受信音声信号をゲート・オンおよびオフするよう形成される。送信音声信号は、受信心音声信号がゲート・オフされる場合にイネーブルされ、更にＶＣＯは、イネーブルされた送信音声信号により変調され、変調されたＲＦ信号を出力するよう形成される。
【０００６】
本発明に関するこれらおよび他の形態、特徴および利点は、以下、添付図面に関連して説明される好適実施例の詳細な説明により明らかになるであろう。
【０００７】
［好適実施例の詳細な説明］
本発明が対象とするアナログ・コードレス電話機は、ハンドセットのＲＸおよびＴＸ経路双方のための唯一の位相ロック・ループ（ＰＬＬ）および関連する電圧制御発振器、並びにベースのための唯一のＰＬＬおよび関連するＶＣＯを有する。ここで使用される用語の「Ｒｘ」および「Ｔｘ」は、本発明によるアナログ・コードレス電話機のハンドセットまたはベースの何れかに関する受信機および送信機にそれぞれ対応する。
【０００８】
有利なことに、本発明は、一部の期間内でＲＸ信号が処理され、他の期間内でＴＸ信号を利用して送信機で変調するようにして、ＲｘおよびＴｘ信号をサンプルする点に留意を要する。優先するイベント（ｅｖｅｎｔ）は、関連する期間が重複しないように生じる。そのような手法は、コスト効率の良いアナログ・コードレス電話機をもたらし、調整を必要とせず、素子のばらつき（ｔｏｌｅｒａｎｃｅ）、温度変化および素子の経年変化にほとんど影響されない。
【０００９】
ハンドセットおよびベース・ユニットに関するサンプリング周波数は、異なるように選択され、非同期システムを実現する。すなわち、ベースおよびハンドセットにおけるサンプリング・クロックは、互いに位相ロックされていない。本発明の実施例では、ベース・ユニットのサンプリング周波数は約３５ｋＨｚであり、ハンドセットのサンプリング周波数は約１５ｋＨｚである。当然ながら、本発明の精神および範囲内で、他の周波数を利用することも可能である。
【００１０】
図１は、本発明の実施例によるコードレス電話機１００のブロック図である。コードレス電話機１００は：アンテナ１０１；デュプレックス・フィルタ１０３；Ｒｘフロント・エンド１０５；第１ミキサ１０７；第１中間周波数（ＩＦ）フィルタ１０９；ＩＦ増幅器１１１；統合ＩＦサブシステム（例えば、ＭＯＴＯＲＯＬＡ（登録商標）のＭＣ３３６１のような集積回路）１１３；第１アナログ・ゲート１２３；無線周波数（ＲＦ）ネットワークおよびシュミット・トリガ１２１；サンプル・クロック生成器１１５；位相ロック・ループ（ＰＬＬ）リファレンス発振器１２７；ＰＬＬ１２９；インバータ１１７；第２アナログ・ゲート１１９；電圧制御発振器（ＶＣＯ）１２５およびＴＸ電力増幅器１３１を含む。
【００１１】
有利なことに、受信機および送信機両者は、同一のＰＬＬ１２９およびＶＣＯ１２５を共有している。ＶＣＯ信号はＲＸ経路（ｃｈａｉｎ）における第１ミキサ１０７に注入するため、およびＴＸ信号を提供するために使用される。
【００１２】
信号は、アンテナ１０１で受信され、デュプレックス・フィルタ１０３によって濾波され、Ｒｘフロント・エンド増幅器１０５によって増幅され、第１ミキサ１０７による混合により、第１中間周波数（第１ＩＦ）を有する信号を出力する。第１ＩＦ信号は第１ＩＦフィルタ１０９によって濾波される。第１ＩＦは、各チャネルに関するＴｘおよび所望のＲｘ周波数の間の差分に等しく選択される点に留意を要する。
【００１３】
ＩＦ増幅器１１１により増幅された後に、第１ＩＦ信号は、第２中間周波数（第２ＩＦ）に変換するための回路、リミッタ増幅経路および以降のＦＭ検波を包含するところのＩＦブロック（統合ＩＦサブシステム）に配信される。第２ＬＯ入力（第２ＬＯ  ＩＮ）は、ＰＬＬ１２９のリファレンス発振器１２７から提供される。統合ＩＦサブシステム１１３の出力は、Ｒｘ音声出力信号である。
【００１４】
ＲＸ音声出力信号は第１アナログ・ゲート１２３によりゲート・オンおよびオフされ（導通化および非導通化され）、これはＲＣネットワークおよびシュミットトリガ１２１を利用して実質的に変更されるデューティ・サイクルを有するところのサンプリング・クロック生成器からのクロック信号により制御される。これはＩＦを介する時間遅延を補償し、ＴＸ音声信号と分離されたＲＸ信号とを時間通りに維持する。ＲＸ音声出力信号をサンプリングした後に、ＲＸ音声出力信号は、いくつかの増幅および濾波を通じて、後続のシステム（例えば、図示されていないスピーカや電話回線）に配信される。ＲＣネットワークおよびシュミット・トリガ１２１は、ＩＦ経路に関する時間遅延補償および受信音声信号と送信音声信号の信号分離がどのように実現され得るかの一例を示す点に留意を要する。当業者であれば、本発明の精神および範囲から逸脱せずに、これらおよび同一のことを達成する様々な他の手法を考察し得るであろう。
【００１５】
送信音声信号は第２アナログ・スイッチ１１９によりゲート・オンおよびオフされ、これはインバータ１１７により実質的に反転されるところのサンプリング・クロック生成器１１５から提供されるクロック信号により制御される。この制御は、受信経路において受信音声信号がゲート・オフされる期間内でのみ、送信音声信号がイネーブルされるように行われる。
【００１６】
その結果のスイッチングされた音声信号は、ＶＣＯ１２５から変調されたＲＦ信号を出力するように、ＶＣＯ１２５を周波数変調するために使用される。変調されたＲＦ信号は、その後に、Ｔｘ電力増幅器１３１によりＴＸ増幅経路で増幅され、デュプレックス・フィルタ１０３を通じてアンテナ１０１に配信される。
【００１７】
以上、添付図面を参照しながら実施例を説明したが、本発明はこれら特定の実施例に限定されず、本発明の範囲又は精神から逸脱することなしに様々な他の変形例および修正例が当業者により把握され得ることを理解されるべきである。そのような変形および修正は、特許請求の範囲により規定される本発明の範囲内に包含されることを意図する。
【図面の簡単な説明】
【図１】  図１は、本発明の実施例によるコードレス電話機１００のブロック図である。
【図１】
0004663949.tif 000002